(57)【特許請求の範囲】
【請求項１】
コマンド信号を無線受信する受信手段を有し、かつ、パーソナルＩＤまたはアドレスを記憶するための第１の記憶位置、ネットワークＩＤを記憶するための第２の記憶位置、およびリモートコントロール装置のＩＤを記憶するための第３の記憶位置を有するコントローラによりコントロールされる、少なくとも１つのコントロールド・デバイスと、
コマンド信号を発するように設計された、ユーザ操作可能な少なくとも１つのリモートコントロール装置とを含む、コントロールシステムであって、
コマンド信号は、少なくとも、ターゲットアドレスコードを含む第１のデータ部分と、ネットワークＩＤコードを含む第２のデータ部分と、送信元アドレスコードを含む第３のデータ部分と、コマンドコードを含む第４のデータ部分とを含み、
前記コントローラは、通常モードで動作することができ、該通常モードにおいて、前記コントローラは、コマンド信号の受信に応答して、前記第１のデータ部分から前記ターゲットアドレスコードを読み出して、該ターゲットアドレスコードを、前記第１の記憶位置内にある自己のパーソナルＩＤと比較し、前記第２のデータ部分から前記ネットワークＩＤコードを読み出して、該ネットワークＩＤコードを、前記第２の記憶位置内にある前記ネットワークＩＤと比較し、前記第３のデータ部分から前記送信元アドレスコードを読み出して、該送信元アドレスコードを、前記第３の記憶位置内にある前記リモートコントロール装置のＩＤと比較し、これらの比較のうちのいずれか１つでも不適合を示した場合には、前記第４のデータ部分に含まれる前記コマンドコードを無視し、そうでない場合には、前記第４のデータ部分に含まれる前記コマンドコードを実行し、
前記コントローラはさらに、ＮＯ ＮＥＴＷＯＲＫモードで動作することができ、該ＮＯ ＮＥＴＷＯＲＫモードにおいて、前記コントローラは、前記第４のデータ部分内にリセットコマンドコードを有するようなコマンド信号の受信に応答して、前記第１のデータ部分、前記第２のデータ部分および前記第３のデータ部分の内容に関わらず、応答手順を実行することを特徴とするコントロールシステム。
【請求項２】
前記コントローラが、起動の後、ネットワークに対して自己をレポートし、同一のネットワークＩＤを有するデバイスからの応答を受信できなかったら、前記ＮＯ ＮＥＴＷＯＲＫモードに入るように設計されていることを特徴とする請求項１記載のコントロールシステム。
【請求項３】
前記コントロールド・デバイスがランプであり、前記コントローラが、前記ＮＯ ＮＥＴＷＯＲＫモードに入った後、前記ランプの点滅を開始するように設計されていることを特徴とする請求項１記載のコントロールシステム。
【請求項４】
前記コントロールド・デバイスがランプであり、前記コントローラが、前記ＮＯ ＮＥＴＷＯＲＫモード中においてリセットコマンドを受信した後、前記ランプの点滅を開始することを特徴とする請求項１記載のコントロールシステム。
【請求項５】
前記応答手順が、第２の記憶位置から前記ネットワークＩＤを削除し、すべての設定を「工場出荷時新品」の値に戻す処理を含む、リセット動作の実行を含んでいることを特徴とする請求項１記載のコントロールシステム。
【請求項６】
前記応答手順が、第２の記憶位置内の前記ネットワークＩＤを、リセットコマンドの前記第２のデータ部分に含まれる前記コードに置き換える処理、および／または、第３の記憶位置内の送信元コードを、前記リセットコマンドの前記第３のデータ部分に含まれる前記コードに置き換える処理を、含むことを特徴とする請求項１記載のコントロールシステム。
【請求項７】
前記リモートコントロール装置が、比較的低いパワー、すなわち他のコマンド信号に使用されるパワーよりも低いパワーで、リセットコマンド信号を発するように設計されていることを特徴とする請求項１記載のコントロールシステム。
【請求項８】
他のランプがリセットコマンドに応答するのを防止するため、通常はランプのアドレスとして使用されないようなコードを、前記第１のデータ部分で使用するように、および／または、通常はネットワークコードとして使用されないようなコードもしくは少なくとも自己の実際のネットワークコードとは異なるコードを、前記第２のデータ部分で使用するように、および／または、通常は送信元コードとして使用されないようなコードもしくは少なくとも自己の実際の送信元コードとは異なるコードを、前記第３のデータ部分で使用するように、前記リモートコントロール装置が設計されていることを特徴とする請求項１記載のコントロールシステム。
【発明の詳細な説明】
【技術分野】
【０００１】
本発明は、広くは、相互に協働するデバイスのネットワークであって、それらのデバイスが互いに無線で通信するような任意のネットワークに適用可能である。とりわけ、本発明は、オフィスや居住用家屋といった建物内の照明コントロールネットワークに関係し、以下では、かかる状況について、本発明を具体的に説明する。
【背景技術】
【０００２】
図１は、従来型の家庭用照明システム１を概略的に図示している。部屋２の中の、たとえば天井に、照明デバイス３が取り付けられている。照明デバイス３は、固定されたハウジング４と、交換可能な発光素子５とを備えている。発光素子５は、たとえば白熱電球であり、以下では「ランプ」と呼ぶこととする。コントロールスイッチ６は、適切な場所、たとえば入口ドア付近の壁に取り付けられている。電源電圧を伝達する電気導線は、天井内に配されてもよい。照明デバイス３を接続するため、１本の電源導線が、照明デバイスに直接接続されてもよい。コントロールスイッチ６を用いて照明デバイス３をコントロールすることを可能とするためには、少なくとも１本の電源導線がコントロールスイッチ６に接続されていなくてはならず、１つのスイッチ出力導線が照明デバイス３に接続されていなくてはならない。
【０００３】
この例では、照明デバイス３とスイッチ６とが互いに関連付けられている。これは、照明デバイス３のオン／オフ状態、あるいは場合によっては調光レベルもが、スイッチ６によってコントロールされることを意味する。別の例としては、壁のソケットに接続するためのプラグを有する延長コードを持つ電機子であって、延長コード内にスイッチが取り付けられた電機子がある。
【０００４】
ユーザに対しより高い融通性およびコントロールの快適性を提供するために、リモートコントロール装置によって照明デバイスが無線コントロールされるような、システムが開発されてきた。図２は、かかるシステム１０を概略的に図示している。図は、各々が電源導線に直接接続されており、かつ各々が固定されたハウジング１４Ａ、１４Ｂおよび交換可能なランプ１５Ａ、１５Ｂを含んでおり、かつ各々に無線コントロール信号を受信するための受信器１６Ａ、１６Ｂが設けられている、２つの照明デバイス１３Ａ、１３Ｂを示している。このシステム１０はさらに、リモートコントロール装置１７を含んでおり、このリモートコントロール装置１７は、無線コントロール信号を発するための送信器１８を含んでいる。この無線コントロール信号は、たとえば、もっぱらＺｉｇｂｅｅプロトコルに準拠する無線信号とされる。リモートコントロール装置１７は、壁に取り付けられていてもよいが、便利なように手持型の装置とされてもよく、その場合、ユーザは、任意の場所からそのリモートコントロール装置１７を操作することができる。リモートコントロール装置１７は、たとえば、関連付けられた複数の照明デバイスを個別にスイッチ操作することを可能とするよう、個々の受信器とそれぞれ関連付けられた個々のキーを有していてもよいし、一群の照明デバイスを同時にスイッチ操作することを可能とするグループキーを有していてもよい。
【０００５】
各照明デバイス１３の内部には、受信されたリモートコントロール信号を処理し、それらの信号に基づいてビルトインスイッチを操作する、コントロール装置（簡潔にするため図示せず）が設けられる。この知能は、照明デバイス１３に任意の標準的なランプを取り付けることを可能とするよう、ハウジング１４内に物理的にマウントされていてもよい。しかしながら、この知能をランプ１５内に物理的にマウントし、単に既存の状況下でランプを交換することにより、無線コントロール機能を得られるようにすることも可能である。実際、以下の説明では、上記の知能がランプ内にマウントされているものと仮定する。かかる状況下でも、依然として「ハード的な」電源スイッチ６が存在するであろうことに留意されたい。この場合、この「ハード的な」電源スイッチ６は、「オン」の位置のままとされているべきであるが、ハード的にランプをオフ状態に切り換えるべく、「オフ」の位置に変更することも可能である。
【０００６】
かかる照明システム１０の構築に必要とされるのは、個々の構成要素の物理的な取付けのみではない。システム定義、すなわち個々のランプとリモートコントローラ１７との間の関係を、設定することも必要である。たとえば、リモートコントローラ１７は、自己がどのランプの制御を許可されているのかを知らなくてはならないし、ランプは、自己がどのリモートコントローラ１７に従うべきかを知らなくてはならない。２人の隣人同士が同じシステムを持っている場合にも、それら２つのシステムが互いに干渉すべきではない。この目的のため、システム内の各デバイスはデバイスＩＤを有しており、コマンド信号は、リモートコントローラ１７のＩＤおよびネットワークＩＤに加え、受信先として意図するランプのＩＤを含むものとされる。初期設定処理においては、新規のランプまたは新規のリモートコントローラがネットワークに追加され、（１つまたは複数の）ランプと、（１つまたは複数の）リモートコントローラとが関連付けられる。ネットワークおよびアソシエーションのメンバー構成は保護される。これは、ランプが、関連付けられたリモートコントローラ１７により与えられるコマンドにのみ従うことを意味する。
【発明の概要】
【発明が解決しようとする課題】
【０００７】
ランプが、自己と関連付けられたリモートコントロール装置が利用可能でないような状況に置かれた場合、問題が生じ得る。かかる状況が生じる理由として考えられるシナリオは、いくつかある。可能性のある１つのシナリオは、この特定のランプがアクティブ状態でないときに、システム全体がリセットされてしまったというシナリオである。可能性のある別のシナリオとしては、そのランプが、たとえば誰かへの贈り物としてまたは欠陥のあるランプと交換するために、ネットワーク外に持ち出され、違う場所に持って行かれてしまったというシナリオが考えられる。
【０００８】
かかる状況下では、ランプは、工場出荷時の設定に戻すため、リセットされる必要がある。ランプ自体は、リセットボタンを有していない。典型的には、リモートコントロール装置が、リセットコマンドを発するためのボタンを有しているが、この場合、そのリモートコントロール装置は関連付けられたデバイスではないので、ランプはそのリモートコントロール装置を無視してしまう。
【０００９】
ここで、国際公開第２００８／０７８２５６号を参照する。この文献の詳細内容は、引用により、本明細書に含まれているものとする。この文献には、短い距離内にあるランプによってのみ受信可能なように、低減させられたパワーで「全無効リセットコマンド（all overruled reset command）」を発するリモートコントロール装置が記載されている。この文献に記載されているような手順は、ランプとリモートコントロール装置とが関連付けられているときのみ、実行することができる。
【００１０】
上記文献の図２を参照すると、上記文献には、リセットコマンドを受信することなく行われる自動リセット手順も記載されている。ランプは、起動時（電源のスイッチ投入時）において、あるネットワークのメンバーであることを示すネットワークＩＤを自己が有しているか否かをチェックし、さらに、通信可能範囲内に同一のネットワークＩＤを有する他のデバイスがあるか否かを探索する。同一のネットワークに属する他のデバイスを予め規定された時間内に探し出せなかった場合、ランプは自動的に自己をリセットする。
【００１１】
ここで、米国特許出願公開第２００８／００６８２０４号を参照する。この文献の詳細内容は、引用により、本明細書に含まれているものとする。この文献には、ランプを「リスニング」モードとするために、電源を一旦スイッチオフすることを必要とするリセット手順が記載されている。かかる手順は、電力供給源がメインスイッチを有していない状況や、複数のランプが１つの共通の電力供給源を共有している状況や、ランプをスイッチオフすることでユーザの周りが真っ暗になってしまうような状況には適していない。さらに、この既知の手順は、電源のスイッチオフに応答してランプにより送信される、そのランプがリセット準備済状態であることを示すメッセージを、リモートコントローラが聞けることを必要とする。さらに、故意でない一時的なパワーの落込みが、ランプをリセット準備済状態にしてしまうかもしれないという問題もあり得る。最後に、この文献は、自己が「おかしな」ネットワーク内にあると特定したランプの問題、すなわち、リモートコントロール装置を認識せず、したがってそのコマンドを無視するようなランプの問題に、対処していない。
【００１２】
本発明の全体的な目的は、上記の複数の問題に対し、解決策を提供することである。
【課題を解決するための手段】
【００１３】
本発明の１つの重要な側面によれば、ランプは、自己のネットワークを見つけられなかったときに、特別な動作モードに入り、この特別な動作モード中において、任意のリモートコントロール装置からのリセットコマンドを受け入れる。
【００１４】
さらなる有利な工夫は、従属請求項に記載されている。
【図面の簡単な説明】
【００１５】
【図１】従来型の家庭用照明システムを概略的に示した図
【図２】照明デバイスがリモートコントロール装置により無線コントロールされる照明システムを概略的に示した図
【図３】ランプと関連付けられたコントローラを概略的に示した図
【図４】図３のコントローラの通常の動作を概略的に示したフローチャート
【図５】特別なＮＯ  ＮＥＴＷＯＲＫモードにあるコントローラの動作を概略的に示したフローチャート
【発明を実施するための形態】
【００１６】
本発明の上記およびその他の側面、特徴および利点を、図面を参照しながらの、１つまたは複数の好ましい実施形態に関する以下の記述により、さらに詳しく説明する。図面において、同一の参照番号は、同一または類似の部分を指すものとする。
【００１７】
図３は、ランプ１５と関連付けられたコントローラ３０を、概略的に示している。コントローラ３０は、無線コントロール信号４０を受信する受信器３４、および電源Ｍとランプ１５との間に配されたコントロール可能なドライバまたはスイッチ３５を備えている。コントローラ３０はさらに、パーソナルＩＤもしくはアドレスであるＰＩＤを記憶するための第１の記憶位置３１、ネットワークＩＤであるＮＩＤを記憶するための第２の記憶位置３２、およびリモートコントロール装置のＩＤであるＲＣＩＤを記憶するための第３の記憶位置３３を含む、メモリを備えている。図３にはさらに、ターゲットアドレスコードを含む第１のデータ部分４１、ネットワークＩＤコードを含む第２のデータ部分４２、送信元アドレスコードを含む第３のデータ部分４３、およびコマンドコードを含む第４のデータ部分４４を少なくとも含む、コントロール信号４０が図示されている。
【００１８】
図４は、コントローラ３０の通常動作１００を概略的に示したフローチャートである。ステップ１０１において、コントローラ３０は、自己がコントロール信号４０を受信したか否かをチェックする。受信していた場合は、コントローラ３０は、ステップ１１１において、第１のデータ部分４１からターゲットアドレスコードを読み取り、第１の記憶位置３１にあるＰＩＤと比較し、ステップ１１２において、第２のデータ部分４２からネットワークＩＤコードを読み取り、第２の記憶位置３２にあるＮＩＤと比較し、ステップ１１３において、第３のデータ部分４３から送信元アドレスコードを読み取り、第３の記憶位置３３にあるＲＣＩＤと比較する。これらのステップの順序は重要でないことは明らかである。３つすべてのアカウントが適合した場合にのみ、コントローラ３０は、第４のデータ部分４４に含まれているコマンドコードを実行する。このコマンドコードは、たとえば、ランプ１５をオンまたはオフに切り換えるコマンドを含んでいてもよいし、調光レベルを増大／減少させるコマンドを含んでいてもよい。このコマンドコードはまた、リセットコマンドであってもよい。
【００１９】
このランプが、通常の電機子から取り外され、同一ネットワーク内の別の電機子に取り付けられたと仮定する。この状況は、ユーザがこのランプをアサインし直すことを希望し、関連付けられたリモートコントロール装置によりリセットコマンドを発する状況であるかもしれない。コントロール信号４０がＰＩＤ、ＮＩＤおよびＲＣＩＤと適合するので、コントローラ３０は、このリセットコマンドを実行する。
【００２０】
次に、このランプが、通常の電機子から取り外され、別のネットワーク内の別の電機子に取り付けられたと仮定する。新たなユーザは、ランプをアサインしなくてはならず、自分のリモートコントロール装置を用いてリセットコマンドを発する。コントロール信号４０は、少なくとも、第２の記憶位置３２にあるＮＩＤと適合しないネットワークコード、および第３の記憶位置３３にあるＲＣＩＤと適合しない送信元アドレスコードを含んでいるので、コントローラ３０は、このリセットコマンドを無視する。
【００２１】
本発明によれば、コントローラ３０は、図５に示すように、コントロール信号４０内に含まれているネットワークコードおよび送信元アドレスコードに関わらず、任意のリモートコントロール装置によりコントローラ３０がリセットされようとする、特別なＮＯ  ＮＥＴＷＯＲＫモード２００で動作することができる。
【００２２】
起動（ステップ２０１）の後、コントローラ３０は、ネットワークに対して自己をレポートする（ステップ２０２）。すなわち、コントローラ３０は、自己のＰＩＤおよびＮＩＤを記述したポーリング信号を送信し、同一ネットワーク内に属する他のデバイスからの肯定応答信号を受信するべくリスニング状態を取る。ネットワークが見つかった場合、すなわち同一のネットワークＩＤを有する任意のデバイスが応答した場合、コントローラ３０は、通常動作１００に入る。一方、ステップ２０３においてタイマで規定されているように、予め決められた時間内にネットワークが見つからなかった場合、コントローラ３０は、ＮＯ  ＮＥＴＷＯＲＫモード２００に入る。
【００２３】
このＮＯ  ＮＥＴＷＯＲＫモード２００では、ランプ１５がネットワークを有していないこと、およびリセットが必要であることをユーザに知らせるため、コントローラ３０は、まずランプ１５を点滅させ始める（ステップ２１１）ことが望ましい。しかしながら、ユーザは新たなランプを追加したことを認識しており、ランプのリセットが必要であることを知らされる必要はないであろうという仮定に基づき、コントローラ３０が全く点滅を行わない形態や、特定の遅延時間が経過した後においてのみ点滅を行う形態も可能である。
【００２４】
ステップ２２１では、コントローラ３０は、ステップ２０２におけるチェックと同様にして、ネットワークを見つけられるか否かを再度チェックする。ネットワークが見つかれば、コントローラ３０は点滅を中止し、ＮＯ  ＮＥＴＷＯＲＫモード２００から抜ける。ステップ２２２においては、コントローラ３０は、自己がコントロール信号４０を受信したか否かをチェックする。受信していた場合、コントローラ３０は、ステップ２２３において、第４のデータ部分４４内のコマンドコードを調べ、それがリセットコマンドであるか否かを確認する。ここで、コントローラ３０は、第１、第２および第３のデータ部分４１、４２および４３内の情報を、無視する点に留意されたい。リセットコマンド信号が、たとえば１メートルといったような短い距離内にある受信器によってのみ受信可能となるように、リモートコントロール装置１７は、比較的低いパワーでリセットコマンド信号を発するように設計されていることが好ましい。
【００２５】
他のランプがリセットコマンドに応答してしまうことを防ぐために、上記の形態に代えて、または上記の形態に加えて、リモートコントロール装置１７が、通常はランプのアドレスとして使用されないようなコードを、第１のデータ部分４１で使用するような形態、および／または、通常はネットワークコードとして使用されないようなコードもしくは少なくとも自己の実際のネットワークコードとは異なるコードを、第２のデータ部分４２で使用するような形態、および／または、通常は送信元コードとして使用されないようなコードもしくは少なくとも自己の実際の送信元コードとは異なるコードを、第３のデータ部分４３で使用するような形態を用いることも可能である。
【００２６】
しかしながら、既存のリモートコントロール装置は、自己の実際のネットワークコードおよび自己の実際の送信元コードを包含する、通常発するようなリセットコマンドしか発することができない。
【００２７】
リモートコントロール装置１７が、通常のリセットコマンドコードとは異なり、ＮＯ  ＮＥＴＷＯＲＫモード２００で動作しているランプコントローラのみが従うような、特別なリセットコマンドコードを使用する形態も可能である。しかしながら、既存のリモートコントロール装置は、通常のリセットコマンドコードしか発することができないので、ランプコントローラ３０は、そのような通常のリセットコマンドコードにも応答可能とされるべきである。
【００２８】
ランプコントローラが、ステップ２１１において点滅を開始する代わりに、ステップ２２３においてリセットコマンドを受信した後においてのみ点滅を開始するようにした形態も可能である。同時に、ランプコントローラは、自己のアドレスをリモートコントロール装置に送信してもよい。この形態によれば、ユーザは、どのランプが応答するのかを、点滅により視覚的に理解することができる。１つのみのランプが点滅した場合には、ユーザが確認ボタンを押して、ランプコントローラが、リセット動作（ステップ２３１）または代替ステップ２４１−２４４によって、この確認コマンドに応答するようにしてもよい。あるいは、リモートコントロール装置は、１つのみのランプアドレスを戻り信号として受信した場合に、自動的に確認コマンドを送信するようにしてもよい。確認コマンドが後続するリセットコマンドに代えて、リモートコントロール装置が、実際のリセットコマンドが後続するリセット要求コマンドを送信してもよい。
【００２９】
コントローラ３０は、ステップ２２３においてリセットコマンドを検出した後、第２のメモリ位置１１２からネットワークＩＤを削除し、すべての設定を「工場出荷時新品」の値に戻す処理を含むような、リセット動作（ステップ２３１）を実行してもよい。この後、ランプ１５は、購入して箱から出したばかりの新品デバイスであるかのように、通常の方法でネットワークに加入する準備ができた状態となる。
【００３０】
あるいは、コントローラ３０が、ステップ２２３でリセットコマンドを検出した後、第２のメモリ位置１１２からのネットワークＩＤの削除、および第３のメモリ位置１１３からの送信元コードの削除のみを行い、その代わりに、リセットコマンド４０の第２のデータ部分４２に含まれるコードを取得して、新たなＮＩＤとして第２のメモリ位置１１２に記憶し、かつ、リセットコマンド４０の第３のデータ部分４３に含まれるコードを取得して、新たなＲＣＩＤとして第３のメモリ位置１１３に記憶するような形態も可能である（ステップ２４１−２４４）。この手順は、厳密にはリセットではなく、むしろ新たなＲＣによる「テイクオーバー」であるといえる。
【００３１】
こうして、そのリモートコントロール装置がそのランプと結び付けられている（あるいは関連付けられている）か否かに関わらず、「任意の」リモートコントロール装置により無線操作でランプをリセットできるという、重要な利点が実現される。リセット動作は、特殊な第２の通信システムを何ら必要とせず、すべて、通常動作と同じＲＦプロトコルおよびハードウェア上で動作する。さらに、好ましい実施形態は、コントロール装置とランプとが近接していることを要求し、これにより、（遠くにいる）第三者による悪意あるリセットを防止することができる。したがって、ユーザは、決定的なリセット挙動を得ることができる。
【００３２】
要約すると、本発明は、
− コマンド信号４０を受信する受信手段３４を有し、かつ、パーソナルＩＤまたはアドレスであるＰＩＤ、ネットワークＩＤであるＮＩＤ、およびリモートコントロール装置のＩＤであるＲＣＩＤをそれぞれ記憶するための、第１、第２および第３の記憶位置３１、３２および３３を有するコントローラ３０によりコントロールされる、コントロールド・デバイス１５と、
− コマンド信号を発するように設計された、ユーザ操作可能な少なくとも１つのリモートコントロール装置１７と、
を含むコントロールシステム１０を提供する。
【００３３】
コマンド信号は、ターゲットアドレスコード、ネットワークＩＤコード、送信元アドレスコードおよびコマンドコードを含む。
【００３４】
通常、コントローラは、ターゲットアドレスコード、ネットワークＩＤコードおよび送信元アドレスコードが、メモリ内の情報と適合した場合にのみ、コントロール信号に応答する。このコントローラは、ターゲットアドレスコード、ネットワークＩＤコードおよび送信元アドレスコードに関わらず、コントローラがリセットコマンドに応答する、ＮＯ  ＮＥＴＷＯＲＫモード２００で動作することができる。
【００３５】
以上、図面および上記の記載において本発明を詳細に説明してきたが、かかる図解および説明が、本発明を限定するものではなく、説明または例示のためのものと捉えられるべきであることは、当業者には明らかである。本発明は、開示された実施形態に限定されるものではなく、特許請求の範囲において規定された本発明の保護範囲内において、いくつかのバリエーションや変更が可能である。
【００３６】
たとえば、ランプコントローラの機能は、ランプの取付具内に配されていてもよいし、ランプ自体の内部に統合されていてもよい。
【００３７】
当業者においては、図面、明細書および特許請求の範囲を熟読することにより、特許請求の範囲に記載された発明を実施するにあたり、上記で開示した実施形態以外のバリエーションも、理解し、実施できるであろう。特許請求の範囲においては、「含む」または「備える」との語は、他の要素または工程の存在を排除するものではなく、「１つの」との不定冠詞は、複数の存在を排除するものではない。単一のプロセッサその他のユニットにより、請求項中に列挙した複数の項目の機能が満たされることもある。特定の施策が単に互いに異なる従属請求項に記載されていることは、それらの施策の組合せは有利に利用できないことを示すものではない。コンピュータプログラムは、光記憶媒体、またはその他のハードウェアと共にもしくはその他のハードウェアの一部として提供される半導体媒体といったような、適切な媒体上に格納／頒布されてもよいが、インターネット経由、またはその他の有線もしくは無線の電気通信システム経由といったような、他の形式で頒布されてもよい。特許請求の範囲中のいずれの参照番号も、本発明の技術的範囲を限定するものと捉えられるべきではない。
【００３８】
上記では、本発明に係るデバイスの機能ブロックを図解したブロック図を参照して、本発明を説明してきた。これらの機能ブロックのうち１つまたは複数がハードウェアにより実装されてもよく、その場合、機能ブロックの機能は個々のハードウェア構成要素により実行されるが、それら機能ブロックのうち１つまたは複数をソフトウェアにより実装することも可能である点を理解されたい。後者の場合、機能ブロックの機能は、コンピュータプログラムの１つもしくは複数のプログラムラインにより実行されてもよいし、マイクロプロセッサ、マイクロコントローラ、デジタル信号プロセッサ等の、プログラミング可能な装置により実行されてもよい。
【図１】
0005596708.tif 000002
【図２】
0005596708.tif 000003
【図３】
0005596708.tif 000004
【図４】
0005596708.tif 000005
【図５】
0005596708.tif 000006